(57)【要約】【課題】  積層方向に配されたＨＤＤＶＤ層とＤＶＤ層の再生を円滑かつ効果的に行い得る光ディスク装置およびハイブリッド型光ディスクを提供する。【解決手段】  ハイブリッド型光ディスクが装着されたとき、ＤＶＤ層に優先して次世代ＤＶＤ層の再生を行う（Ｓ１０２〜１０４）。そして、ＤＶＤ層へのジャンプの要否に応じて、適宜、ＤＶＤ層へジャンプを行い、ＤＶＤ層の再生を行う（Ｓ１０５〜Ｓ１０９）。ＤＶＤ層へのジャンプは、次世代ＤＶＤ層に保持させたコマンド情報（ジャンプコマンド）に基づいて行う。このコマンドによって指定されたタイトルの再生が終了すると、ＨＤＤＶＤ層に復帰して、ジャンプ時の再生位置に続く位置から再生を再開する（Ｓ１１０〜Ｓ１１２、Ｓ１０２）。これにより、ＨＤＤＶＤ層のコンテンツとＤＶＤ層のコンテンツを一つのストリームとして再生することができる。【選択図】    図５
2007012175.tif 000002
【特許請求の範囲】
【請求項１】
レーザ光入射側から順にＤＶＤ層と次世代ＤＶＤ層が配されたバイブリッド型光ディスクを再生可能な光ディスク装置において、
前記ハイブリッド型光ディスクが装着されたことを判別するディスク判別手段と、
前記ハイブリッド型光ディスクが装着されたと判別されたとき前記ＤＶＤ層に優先して前記次世代ＤＶＤ層に対する再生処理を実行する再生手段と、
前記ＤＶＤ層に対するジャンプの要否を判別するジャンプ判別手段と、
前記ジャンプ判別手段による判別結果に応じて前記次世代ＤＶＤ層から前記ＤＶＤ層へのジャンプを実行するジャンプ制御手段と、
を有することを特徴とする光ディスク装置。
【請求項２】
請求項１に記載の光ディスク装置において、
前記ジャンプ判別手段は、前記次世代ＤＶＤ層を再生して取得されるコマンド情報に基づいて、前記ＤＶＤ層に対するジャンプの要否を判別する、
ことを特徴とする光ディスク装置。
【請求項３】
請求項１または２に記載の光ディスク装置において、
前記ジャンプ制御手段は、前記次世代ＤＶＤ層を再生して取得されるコマンド情報に基づいて、前記ＤＶＤ層に対するジャンプ位置を決定する、
ことを特徴とする光ディスク装置。
【請求項４】
請求項１ないし３の何れか一項に記載の光ディスク装置において、
前記ジャンプ制御手段は、前記ＤＶＤ層に対するジャンプ直前の前記次世代ＤＶＤ層の再生位置を保持し、前記ジャンプ後に前記ＤＶＤ層の再生が終了したことに応じて、前記保持した再生位置をもとに、前記ＤＶＤ層から前記次世代ＤＶＤ層へのジャンプを実行する、
ことを特徴とする光ディスク装置。
【請求項５】
請求項４に記載の光ディスク装置において、
前記次世代ＤＶＤ層から前記ＤＶＤ層へジャンプしたことを示すフラグを保持するフラグ保持手段を備え、
前記ジャンプ制御手段は、前記フラグを参照して、当該ＤＶＤ層の再生が前記次世代ＤＶＤ層からジャンプされた後に行われたものであるかを判別し、当該ＤＶＤ層の再生が終了したことに応じて、前記ＤＶＤ層から前記次世代ＤＶＤ層へのジャンプを実行する、
ことを特徴とする光ディスク装置。
【請求項６】
レーザ光入射側から順にＤＶＤ層と次世代ＤＶＤ層が配されたバイブリッド型光ディスクを再生可能な光ディスク装置において、
前記次世代ＤＶＤ層に、前記ＤＶＤ層に対するジャンプとそのジャンプ先を指定するコマンド情報を保持させた、
ことを特徴とするハイブリッド型光ディスク。
【請求項７】
請求項６に記載のハイブリッド型光ディスクにおいて、
前記次世代ＤＶＤ層に、当該次世代ＤＶＤ層を再生したこと示すフラグをセットするためのコマンド情報を保持させた、
ことを特徴とするハイブリッド型光ディスク。
【発明の詳細な説明】
【技術分野】
【０００１】
本発明は、光ディスク装置およびハイブリッド型光ディスクに関し、特に、レーザ光入射側から順にＤＶＤ層と次世代ＤＶＤ層が配されたハイブリッド型光ディスクおよびこれを再生可能な光ディスク装置に用いて好適なものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、「ＨＤＤＶＤ層」という）と、赤色レーザ光に対応する記録層（以下、「ＤＶＤ層」という）の２つの記録層を積層方向に配することが検討されている。
【０００３】
かかる次世代ＤＶＤ（以下、「ハイブリッド型次世代ＤＶＤ」という）では、ＤＶＤ層がレーザ光入射側から見て手前に配置される。また、ＤＶＤ層には、既存のＤＶＤと同一のフォーマットがそのまま適用される。このＤＶＤ層には、さらにその奥にＨＤＤＶＤ層が存在することを示す情報は保持されない。したがって、ＤＶＤ層に引き込み処理が行われると、当該ディスクはあたかも、単一の記録層を有するＤＶＤとして取り扱われることとなる。
【０００４】
以下の特許文献１には、２つの記録層を有する光ディスクとそのドライブ装置が紹介されている。
【特許文献３】特開２００３−３４６３４８号公報
【発明の開示】
【発明が解決しようとする課題】
【０００５】
通常、ドライブ装置は、光ピックアップ側から見て最初に位置する記録層に引き込み処理を行うよう設計される。このとき、この記録層からリードイン情報を読み取ることができれば、この記録層に対する再生処理が行われる。このため、この種のドライブ装置にハイブリッド型次世代ＤＶＤが装着されると、光ピックアップ側にあるＤＶＤ層に対する再生が行われることとなる。しかし、上記の如く、ＤＶＤ層には、ＨＤＤＶＤ層が存在することを示す情報が保持されていない。このため、ドライブ装置側では、恰も、シングルレイヤータイプのＤＶＤが装着されたと同様の再生処理が行われる。この場合、高容量のコンテンツを提供可能なＨＤＤＶＤ層が存在するにも拘わらず、その再生が見過ごされてしまう可能性がある。
【０００６】
そこで、本発明は、このような問題を回避し、ＨＤＤＶＤ層とＤＶＤ層の再生を円滑かつ効果的に行い得る光ディスク装置およびハイブリッド型光ディスクを提供することを課題とする。
【課題を解決するための手段】
【０００７】
本発明では、ハイブリッド型光ディスクが装着されたとき、ＤＶＤ層に優先して次世代ＤＶＤ層の再生を行う。そして、ＤＶＤ層へのジャンプの要否に応じて、適宜、ＤＶＤ層へジャンプを行い、ＤＶＤ層の再生を行う。
【０００８】
上記のようにＤＶＤ層のフォーマットはＤＶＤ規格に従わなければならない。これは、ハイブリッド型光ディスクが既存のＤＶＤプレーヤに装着された際に、これを支障なく再生できるようにするためである。しかし、ＨＤＤＶＤ層にはこのような制約はない。よって、ＨＤＤＶＤ層にＤＶＤ層へのジャンプコマンド等を追加する余地は残っている。
【０００９】
本発明の一つの局面では、ＤＶＤ層に優先して次世代ＤＶＤ層の再生を行いつつ、ＤＶＤ層へのジャンプを、次世代ＤＶＤ層に保持させたコマンド情報に基づいて行うようにする。これにより、大容量の次世代ＤＶＤ層を優先的に再生しつつ、適宜、ＤＶＤ層の再生も行えるようになる。
【００１０】
本発明は、それぞれの局面において、以下の特徴を有する。
【００１１】
請求項１の発明は、レーザ光入射側から順にＤＶＤ層と次世代ＤＶＤ層が配されたバイブリッド型光ディスクを再生可能な光ディスク装置において、前記ハイブリッド型光ディスクが装着されたことを判別するディスク判別手段と、前記ハイブリッド型光ディスクが装着されたと判別されたとき前記ＤＶＤ層に優先して前記次世代ＤＶＤ層に対する再生処理を実行する再生手段と、前記ＤＶＤ層に対するジャンプの要否を判別するジャンプ判別手段と、前記ジャンプ判別手段による判別結果に応じて前記次世代ＤＶＤ層から前記ＤＶＤ層へのジャンプを実行するジャンプ制御手段とを有することを特徴とする。
【００１２】
請求項２の発明は、請求項１に記載の光ディスク装置において、前記ジャンプ判別手段は、前記次世代ＤＶＤ層を再生して取得されるコマンド情報に基づいて、前記ＤＶＤ層に対するジャンプの要否を判別することを特徴とする。
【００１３】
請求項３の発明は、請求項１または２に記載の光ディスク装置において、前記ジャンプ制御手段は、前記次世代ＤＶＤ層を再生して取得されるコマンド情報に基づいて、前記ＤＶＤ層に対するジャンプ位置を決定することを特徴とする。
【００１４】
請求項４の発明は、請求項１ないし３の何れか一項に記載の光ディスク装置において、前記ジャンプ制御手段は、前記ＤＶＤ層に対するジャンプ直前の前記次世代ＤＶＤ層の再生位置を保持し、前記ジャンプ後に前記ＤＶＤ層の再生が終了したことに応じて、前記保持した再生位置をもとに、前記ＤＶＤ層から前記次世代ＤＶＤ層へのジャンプを実行することを特徴とする。
【００１５】
請求項５の発明は、請求項４に記載の光ディスク装置において、前記次世代ＤＶＤ層から前記ＤＶＤ層へジャンプしたことを示すフラグを保持するフラグ保持手段を備え、前記ジャンプ制御手段は、前記フラグを参照して、当該ＤＶＤ層の再生が前記次世代ＤＶＤ層からジャンプされた後に行われたものであるかを判別し、当該ＤＶＤ層の再生が終了したことに応じて、前記ＤＶＤ層から前記次世代ＤＶＤ層へのジャンプを実行することを特徴とする。
【００１６】
請求項６の発明は、レーザ光入射側から順にＤＶＤ層と次世代ＤＶＤ層が配されたバイブリッド型光ディスクを再生可能な光ディスク装置において、前記次世代ＤＶＤ層に、前記ＤＶＤ層に対するジャンプとそのジャンプ先を指定するコマンド情報を保持させたことを特徴とする。
【００１７】
請求項７の発明は、請求項６に記載のハイブリッド型光ディスクにおいて、前記次世代ＤＶＤ層に、当該次世代ＤＶＤ層を再生したこと示すフラグをセットするためのコマンド情報を保持させたことを特徴とする。
【００１８】
なお、以下に示す実施の形態には、判別手段の具体例として、フォーカスエラー信号のＳカーブの個数とそのピーク間隔をもとにハイブリッド型次世代ＤＶＤと判別する構成が示されている。
【００１９】
また、以下に示す実施の形態には、コマンド情報の保持形態として、再生リスト中にジャンプコマンドと変数設定コマンドを含めて保持させる形態が示されている。この場合、ジャンプコマンドによって、ＤＶＤ層へのジャンプとそのジャンプ先が指示され、変数設定コマンドによって、次世代ＤＶＤ層（ＨＤＤＶＤ層）を再生したことを示す変数ｉに１がセットされる。
【００２０】
なお、以下に示す実施形態では、上記本発明の各手段における処理は、主として、コントローラ１０６にて実現される。
【発明の効果】
【００２１】
本発明によれば、ＤＶＤ層に優先して次世代ＤＶＤ層が再生されるため、大容量の次世代ＤＶＤ層の再生が見過ごされてしまう惧れはない。また、適宜、次世代ＤＶＤ層からＤＶＤ層へとジャンプされるため、ＤＶＤ層も有効に再生・利用される。
【００２２】
この際、次世代ＤＶＤ層に保持されたコマンド情報をもとにＤＶＤ層へのジャンプを行うようにすることにより、次世代ＤＶＤ層に記録されたコンテンツとＤＶＤ層に記録されたコンテンツをリンクさせた制御を円滑に行うことができる。また、ＤＶＤ層に記録された情報（１タイトル分の情報、等）の再生が終了したことに応じてＨＤＤＶＤ層に復帰させるようにすることにより、次世代ＤＶＤ層のコンテンツとＤＶＤ層のコンテンツを一つのストリームとして再生することができる。
【００２３】
さらに、フラグをセットしてＨＤＤＶＤ層からＤＶＤ層へのジャンプであることを把握できるようにすることにより、かかるジャンプによるＤＶＤ層の再生と、ＤＶＤ層のみを最初から再生する場合とを区別することができる。これにより、ＨＤＤＶＤ層への復帰の要否を簡易に判定することができ、かかる復帰制御を円滑化することができる。
【００２４】
本発明の効果ないし意義は、以下に示す実施の形態の説明により更に明らかとなろう。ただし、以下の実施形態は、あくまでも、一つの例示であって、本発明ないし各構成要件の用語の意義は、以下の実施の形態に制限されるものではない。
【発明を実施するための最良の形態】
【００２５】
以下、本発明の実施の形態につき図面を参照して説明する。
【００２６】
なお、本実施の形態では、次世代ＤＶＤ（シングルレイヤー、ＨＤＤＶＤ層片面マルチレイヤー、ＨＤＤＶＤ層／ＤＶＤ層片面ハイブリッド）と、ＤＶＤ（シングルレイヤー、ＤＶＤ層片面マルチレイヤー）を互換再生可能な光ディスク装置が例示されている。
【００２７】
図１に、ハイブリッド型の次世代ＤＶＤの構造を示す。
【００２８】
ハイブリッド型次世代ＤＶＤ１は、片面にＨＤＤＶＤ層１２が形成された基板１１と、片面にＤＶＤ層１４が形成された基板１３を、接着層１５によって貼り合わせ、さらに基板１１の反対側の面に印刷層１６を形成した構造となっている。レーザ光は、基板１３側から入射される。記録可能タイプの場合、ＨＤＤＶＤ層１２とＤＶＤ層１４には螺旋状のトラックが形成されている。再生専用タイプの場合、螺旋状にピットが配列されている。
【００２９】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。なお、ＤＶＤ層１４は、波長４０５ｎｍ程度の青色レーザ光と波長６５５ｎｍ程度の赤色レーザ光をそれぞれ規定された割合にて透過および反射する。
【００３０】
ＨＤＤＶＤ層１２には、次世代ＤＶＤ規格に従うデータフォーマットが適用されている。つまり、ハイブリッド型の次世代ＤＶＤにはＤＶＤ層１４およびＨＤＤＶＤ層１２の両方にリードイン情報が存在している。ＨＤＤＶＤ層１２のリードイン情報にも、ＤＶＤ層１４が存在することを示す情報は含まれていない（将来的には含まれる可能性はある）。ただし、ＨＤＤＶＤ層１２には、後述の如く、ジャンプコマンドと変数設定コマンドが保持されている。ジャンプコマンドによって、ＤＶＤ層へのジャンプとそのジャンプ先が指示され、変数設定コマンドによって、ＨＤＤＶＤ層を再生したことを示す変数ｉに１がセットされる。
【００３１】
なお、ＨＤＤＶＤ層１４は、青色レーザ光を規定された反射率にて反射するが、赤色レーザ光に対する反射率はこれに比べて極めて低くなる材料にて形成されている。かかる反射率の設定により、後述の如く、ハイブリッド型次世代ＤＶＤが装着されたことの判別が行われる。
【００３２】
なお、ＤＶＤ層が片面に２層配されたマルチレイヤータイプのＤＶＤは、図１の構成において、ＨＤＤＶＤ層１２がＤＶＤ層に置き換わった構成となっている。この場合、２つのＤＶＤ層のうちピックアップに近い側のＤＶＤ層のみにリードイン情報が存在している。このリードイン情報には、ＤＶＤ層が２つ存在することを示す情報が含まれている。
【００３３】
また、ＨＤＤＶＤ層が片面に２層配されたマルチレイヤータイプの次世代ＤＶＤは、図１の構成において、ＤＶＤ層１４がＨＤＤＶＤ層に置き換わった構成となっている。この場合も、２つのＨＤＤＶＤ層のうちピックアップに近い側のＨＤＤＶＤ層のみにリードイン情報が存在している。このリードイン情報には、ＨＤＤＶＤ層が２つ存在することを示す情報が含まれている。
【００３４】
図２（ａ）は、ＤＶＤ層またはＨＤＤＶＤ層を片面に２層有するマルチレイヤータイプのＤＶＤまたは次世代ＤＶＤに赤色レーザ光を照射してフォーカスサーチを行ったときのフォーカスエラー信号上のＳカーブを模式的に例示するものである。
【００３５】
図２（ｂ）は、ハイブリッド型次世代ＤＶＤに赤色レーザ光を照射してフォーカスサーチを行ったときのフォーカスエラー信号上のＳカーブを模式的に例示するものである。
【００３６】
シングルレイヤータイプのＤＶＤ、次世代ＤＶＤに赤色レーザ光を照射してフォーカスサーチを行った場合は、フォーカスエラー信号上に、記録層によるＳカーブが現れる。この場合、このＳカーブの他にも、基板表面によるＳカーブが現れるが、このＳカーブのピーク間隔は図２（ｂ）のピーク間隔ＰＰ２に比べ十分に小さいため、記録層によるＳカーブを検出するための限界値を適宜設定することにより、このＳカーブを記録層によるものとして誤検出することを回避することができる。これらＳカーブの近いをもとにディスクの種類を判別することが可能となる。
【００３７】
図３に、光ディスク装置の構成を示す。なお、同図には、再生系に関するブロックのみが示されている。
【００３８】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、ＡＶ処理回路１０８を備えている。
【００３９】
光ピックアップ１０１は、波長４０５ｎｍ程度の青色レーザ光と、波長６５５ｎｍ程度の赤色レーザ光を出射する半導体レーザが配備されている。さらに、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザから出射される各レーザ光を対物レンズに導くとともにディスクからの反射光を光検出器に導く光学系を備えている。
【００４０】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００４１】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００４２】
レーザ駆動回路１０４は、コントローラ１０６から入力される制御信号をもとに、光ピックアップ１０１内の半導体レーザに駆動信号を出力する。かかる制御により、青色レーザ光および赤色レーザ光の発光が適宜切り替えられる。
【００４３】
復調回路１０５は、信号生成回路１０２から入力されたＲＦ信号を復調して再生データを生成しＡＶ処理回路１０８に出力する。復調回路１０５は、次世代ＤＶＤデータフォーマットに従ってデータ復調を行う復調部（ＨＤＤＶＤデコーダ部）と、ＤＶＤデータフォーマットに従ってデータ復調を行う復調部（ＤＶＤデコーダ部）を備えている。何れの復調部を用いるかは、コントローラ１０６からの制御信号をもとに設定される。また、各復調部における復調の可否とリードイン情報等のサブ情報が、復調回路１０５からコントローラ１０６に出力される。
【００４４】
コントローラ１０６は、内蔵メモリに各種データを格納するとともに、あらかじめ設定されたプログラムに従って各部を制御する。コントローラ１０６には、ディスク判別処理時に、信号生成回路１０２から、フォーカスエラー信号が入力される。コントローラ１０６は、この信号をもとに、ディスク判別を行う。さらに、コントローラ１０６は、復調回路１０５から入力されるコマンド情報（後述）をもとに、ＨＤＤＶＤ層−ＤＶＤ層間のジャンプ制御を行う。
【００４５】
ＡＶ処理回路１０８は、復調回路１０５から入力される再生データを処理して映像情報および音声情報を取得する。このうち、映像情報は、コントローラ１０６からの制御指示に従ってテレビ等の表示装置２００に出力される。音声情報は、コントローラ１０６からの制御指示に従ってスピーカ等（図示せず）に出力される。この他、コントローラ１０６からの信号に応じて、適宜、所定の画面あるいは音声を出力するための情報がＡＶ処理回路１０８から出力される。
【００４６】
図４に、ハイブリッド型次世代ＤＶＤ１のＨＤＤＶＤ層１２およびＤＶＤ層１４に記録されるコンテンツ情報のデータフォーマットを示す。
【００４７】
同図に示す如く、コンテンツ情報は、再生リストとユニット群に区分されている。このうち、ユニット群（ユニット１、ユニット２、…）には、映像／音声データ（ＭＰＥＧデータ、等）が格納される。また、再生リストには、各ユニットをリンクさせるためのリンク情報や各種コマンド情報等の管理情報が格納される。
【００４８】
再生リスト中のリンク情報に従って各ユニットを順番にリンクさせることにより、映像／音声データのストリームが構成される。記録層に複数のタイトル（プログラム単位）が保持されている場合、映像／音声データのストリームは、タイトル毎に区分される。各タイトルをリンクさせる場合には、再生リスト中にその旨の記述がなされる。一つのタイトルで再生を終了させる場合には、再生リストにエンドコマンドが格納される。
【００４９】
本実施の形態では、ＨＤＤＶＤ層１２の再生リストには、各タイトルを順番にリンクさせるための記述が含められている。また、ＤＶＤ層１４の再生リストには、タイトル毎に再生処理を完結させるためのエンドコマンドが含められている。
【００５０】
また、本実施の形態では、ＨＤＤＶＤ層１２の再生リスト中に、ＤＶＤ層１４とＨＤＤＶＤ層１２において共通に定義される変数ａ〜ｐのうち、変数ｉに“１”をセットするためのコマンド（変数設定コマンド）が含められている。したがって、ＨＤＤＶＤ層１２の再生リストが再生されることにより、この変数ｉに“１”がセットされる。ＤＶＤ層１４の再生リストにはかかるコマンドが含められていないため、ＨＤＤＶＤ層１２の再生がリセットされた後にＤＶＤ層１４が再生されても、変数ｉに“１”がセットされることはない。ＨＤＤＶＤ層１２の再生を経由して、ＤＶＤ層１４への再生に移行した場合には、変数ｉに“１”がセットされている。
【００５１】
さらに、本実施の形態では、ＨＤＤＶＤ層１２の再生リスト中に、ＨＤＤＶＤ層１２上の所定のユニットからＤＶＤ層１４上のユニットにジャンプして所定のタイトルを再生させるためのコマンド（ジャンプコマンド）が含められている。かかるジャンプコマンドは、ＤＶＤ層１４上にある目標のタイトルを指定するものでも、当該タイトルの開始アドレス（ユニット番号、等）を指定するものでも良い。
【００５２】
なお、本実施の形態では、ＨＤＤＶＤ層１２に映画等の主コンテンツが高精細モードにて記録され、ＤＶＤ層１４には、主コンテンツの各シーンに関連する補助コンテンツがノーマルモードにて記録されている。この場合、主コンテンツのあるシーンに対応するユニットからこのシーンに関連する補助コンテンツのタイトル開始位置へジャンプするためのジャンプコマンドがＨＤＤＶＤ層１２の再生リスト中に含められる。これにより、ＨＤＤＶＤ層１２からＤＶＤ層１４へのジャンプが実行され、主コンテンツのあるシーンに関連する補助コンテンツのタイトルが再生される。そして、当該タイトルの再生が終了すると、当該ジャンプ前の位置に続くＨＤＤＶＤ層１２上の位置に再生位置が復帰し、主コンテンツの再生が続行される。
【００５３】
図５に、ディスク再生時の処理フローチャートを示す。
【００５４】
ディスクが装着されると、まず、ディスク判別処理が行われる（Ｓ１０１）。かかるディスク判別は、種々の手法を用いて行うことができる。たとえば、各記録層の情報をレーザ光と復調部を切り替えながら実際に復調し、復調の可否をもとにディスク判別を行うようにすることもできる。
【００５５】
本実施の形態では、図２に示すフォーカスエラー信号上のＳカーブをもとにディスク判別が行われる。すなわち、赤色レーザ光を点灯した後、当該ディスクに対するフォーカスサーチを行う。そして、フォーカスエラー信号上に現れるＳカーブの個数をもとに、シングルレイヤータイプかマルチレイヤータイプかを判別する。マルチレイヤータイプの場合は、最も大きなＳカーブのピーク間隔ＰＰ１と次に大きなＳカーブのピーク間隔ＰＰ２の比（Ｒ＝ＰＰ２／ＰＰ１）を算出する。そして、このピーク比Ｒが閾値以上であればＤＶＤ層またはＨＤＤＶＤ層が複数配されたマルチレイヤーディスクと判別する。一方、ピーク比Ｒが閾値未満で且つＳカーブのピーク間隔ＰＰ２がＳカーブの検出限界以上であれば、ＤＶＤ層とＨＤＤＶＤ層が配されたハイブリッド型次世代ＤＶＤと判別する。
【００５６】
なお、ＤＶＤ層またはＨＤＤＶＤ層が複数配されたマルチレイヤーディスクと判別した場合には、さらに、光ピックアップ側から見て最初に位置する記録層を赤色レーザ光にて読み取る。そして、読み取った信号を復調回路１０５のＤＶＤデコーダ部にて復調し、復調の可否を判定する。復調可能であれば、ＤＶＤ層が複数配されたマルチレイヤーディスクと判別する。復調不可であれば、ＨＤＤＶＤ層が複数配されたマルチレイヤーディスクと判別する。なお、この場合、青色レーザ光にて最初の記録層に対する復調の可否を判定し、ＨＤＤＶＤ層が複数配されたマルチレイヤーディスクであることを検証するようにしても良い。
【００５７】
また、フォーカスエラー信号上に現れるＳカーブの個数からシングルレイヤータイプと判別した場合は、当該記録層を赤色レーザ光にて読み取る。そして、読み取った信号を復調回路１０５のＤＶＤデコーダ部にて復調し、復調の可否を判定する。復調可能であれば、ＤＶＤ層が１層配されたシングルレイヤーディスクと判別する。復調不可であれば、ＨＤＤＶＤ層が１層配されたシングルレイヤーディスクと判別する。なお、この場合、青色レーザ光にて当該記録層に対する復調の可否を判定し、ＨＤＤＶＤ層が１層配されたシングルレイヤーディスクであることを検証するようにしても良い。
【００５８】
Ｓ１０１における判別結果がハイブリッド型次世代ＤＶＤでない場合、判別結果に対応するディスクモードにて再生が行われる（Ｓ１２０）。
【００５９】
Ｓ１０１における判別結果がハイブリッド型次世代ＤＶＤである場合は、点灯レーザが青色レーザに切り替えられ（Ｓ１０２）、光ピックアップ側から見て奥にあるＨＤＤＶＤ層１２に対する再生が行われる（Ｓ１０３、Ｓ１０４）。かかる再生時に、ＨＤＤＶＤ層１２のリードイン情報と、上述の再生リストが読み取られる。そして、再生リストに従って各ユニットのデータが順次再生される。
【００６０】
なお、このようにして再生リストが読み取られると、再生リスト中に格納された上述の変数設定コマンドが実行される。これにより、上述の変数ｉに“１”がセットされる。なお、変数ｉの初期値（たとえば“０”）は、ディスク装着時や、ディスクの再生開始時等に設定される。
【００６１】
その後、ＨＤＤＶＤ層１２の再生は、再生対象ユニットが再生リスト中のジャンプコマンドにて指定されるユニットに到達するまで継続される（Ｓ１０５）。そして、再生位置がジャンプコマンドにて指定されたユニットに到達すると（Ｓ１０５：Ｙ）、当該再生位置（ユニット番号）が記憶された後（Ｓ１０６）、点灯レーザが赤色レーザに切り替えられる（Ｓ１０７）。しかる後、ジャンプコマンドが実行され、ＤＶＤ層１４へのジャンプがなされる（Ｓ１０８）。
【００６２】
ジャンプコマンド実行の際には、まず、ＤＶＤ層１４のリードイン情報と再生リストが読み取られる。読み取られた再生リストには、上述のエンドコマンドが含まれている。
【００６３】
しかして再生リストが読み取られると、ジャンプコマンドにて指定されたタイトルの開始ユニットにアクセスされ、当該タイトルの再生が行われる（Ｓ１０９）。この再生は、ユーザからインタラプト指令の入力がない限り、当該タイトルの最終ユニットまで実行される（Ｓ１１０）。当該タイトルの最終ユニットの再生が終了すると、エンドコマンドが実行され、ＤＶＤ層１４の再生が終了される。途中でユーザからインタラプト指令が入力された場合も、ＤＶＤ層１４の再生が終了される。
【００６４】
しかして、ＤＶＤ層１４の再生が終了すると、次に、上述の変数ｉが参照される。変数ｉは、ＨＤＤＶＤ層１２へのジャンプを行うかの判定に用いられる。すなわち、変数ｉが“１”にセットされていれば、ＨＤＤＶＤ層１２へのジャンプを行うと判定される。変数ｉが“１”にセットされていなければ、ＨＤＤＶＤ層１２へのジャンプは行われず、再生処理は終了とされる。
【００６５】
本処理フローの場合、Ｓ１０４にて、変数ｉが“１”にセットされているため、ＨＤＤＶＤ層１２へのジャンプを行うとして判定される。なお、ＤＶＤ層１４の再生がＨＤＤＶＤ層１２からのジャンプによるものでない場合には、変数ｉは“１”にセットされていない。この場合、当該タイトルの再生終了に応じて、再生処理が終了される。
【００６６】
しかして、ＨＤＤＶＤ層１２へのジャンプを行うと判定されると、次に、Ｓ１０６にて記憶されたＨＤＤＶＤ層の最終再生位置（ユニット番号）が参照され、この位置に続く再生位置（ユニット番号）がジャンプ後の目標位置として設定される（Ｓ１１２）。そして、点灯レーザが青色レーザに切り替えられた後（Ｓ１０２）、ＨＤＤＶＤ層１２に対するジャンプが実行され、Ｓ１１２にて設定された目標位置へのアクセスが行われる（Ｓ１０３）。
【００６７】
しかして、ＤＶＤ層１４へのジャンプ時に続く位置から再度、主コンテンツ（ＨＤＤＶＤ層）の再生が開始される。この再生は、再生位置が次のジャンプコマンドにて指定されるユニットに到達するまで継続される（Ｓ１０５）。そして、再生位置がジャンプコマンドにて指定されたユニットに到達すると（Ｓ１０５：Ｙ）、上記と同様、当該再生位置（ユニット番号）が記憶された後（Ｓ１０６）、点灯レーザが赤色レーザに切り替えられ（Ｓ１０７）、ジャンプコマンドが実行される。これにより、ＤＶＤ層１４へのジャンプが行われ、ジャンプコマンドにて指定されたタイトルの再生がなされる（Ｓ１０８、１０９）。以後、ＨＤＤＶＤ層１２の再生が終了するまで、同様の処理が繰り返される。
【００６８】
なお、上記の例では、装着されたディスクがハイブリッド型次世代ＤＶＤであるかの判別を、赤色レーザ光を用いて行うようにしたが、この判別を、青色レーザ光を用いて行うようにしても良い。こうすると、ディスク判別から当該ディスクに対する処理へと移行する際に、点灯レーザを切り替える必要がなくなり、Ｓ１０２の処理を省略することができる。
【００６９】
なお、青色レーザ光を用いてハイブリッド型次世代ＤＶＤであるかの判別を行う場合には、たとえば、以下の処理フローを適用することができる。
【００７０】
まず、青色レーザ光にてフォーカスサーチを行い、そのとき得られるＳカーブの個数から、記録層の層数を判別する。ここで、記録層が複数存在すれば、光ピックアップ側から見て最初に位置する記録層とその次に位置する記録層を青色レーザ光にて読み取る。そして、読み取った信号をそれぞれ復調回路１０５のＨＤＤＶＤデコーダ部にて復調し、復調の可否を判定する。このとき、両方の記録層に対する復調が共にＮＧであれば、ＤＶＤ層が２層配されたマルチレイヤータイプのＤＶＤと判別する。両方の記録層に対する復調が共にＯＫであれば、ＨＤＤＶＤ層が２層配されたマルチレイヤータイプの次世代ＤＶＤと判別する。最初の記録層に対する復調がＮＧで、且つ、次の記録層に対する復調がＯＫあれば、ＨＤＤＶＤ層とＤＶＤ層が複数配されたハイブリッド型次世代ＤＶＤと判別する。
【００７１】
図６は、一つのタイトル終了毎にジャンプコマンドが設定された場合の再生動作を模式的に示す図である。
【００７２】
この場合、ＨＤＤＶＤ層のタイトル１から再生が開始される。この再生が終了すると、ジャンプコマンドが実行され、ＤＶＤ層のタイトル１が再生される。しかる後、ＤＶＤ層のタイトル１の再生が終了すると、変数ｉが参照され、ＨＤＤＶＤ層のタイトル２の開始位置にジャンプされる。そして、ＨＤＤＶＤ層のタイトル２が再生される。ＤＶＤ層のタイトル再生途中に、ユーザからインタラプト指令が入力されると、ＨＤＤＶＤ層へのジャンプが行われ、ＨＤＤＶＤ層の次のタイトルが再生される。以下、同様にして、ＨＤＤＶＤ層−ＤＶＤ層間のジャンプが繰り返され、各層のタイトルが順次再生される。
【００７３】
以上、本実施の形態によれば、ＤＶＤ層１４に優先してＨＤＤＶＤ層１２が再生されるため、ＨＤＤＶＤ層１２の再生を確実に行うことができる。また、ＨＤＤＶＤ層１２の再生リストに適宜ジャンプコマンドを含めることにより、ＤＶＤ層１４を効果的に利用した再生を実現することができる。このとき、ＤＶＤ層１４を一タイトル分再生したことに応じて、再生位置が、次世代ＤＶＤ層１２のジャンプ前の位置に続く位置に戻されるため、ＤＶＤ層１４にジャンプを行っても、その後、ＤＶＤ層１４を再生し続けるような事態は起こらない。本実施の形態によれば、ＨＤＤＶＤ層１２とＤＶＤ層１４の各コンテンツをリンクさせたストリーム再生を実現することができる。
【００７４】
なお、本発明は、上記実施の形態に限定されるものではなく、他に種々の変更が可能なものである。
【００７５】
たとえば、上記実施の形態では、ジャンプコマンドにて指定されたユニット位置に再生位置が到達したタイミングにて、ＨＤＤＶＤ層からＤＶＤ層へのジャンプを実行するようにしたが、当該ユニット位置に到達する前に、ユーザからジャンプ指令が入力されるに応じて、ＨＤＤＶＤ層からＤＶＤ層へのジャンプを実行するようにすることもできる。この場合、たとえば、ジャンプ指令入力時に再生中のタイトルに関連付けられたジャンプコマンドが実行される。また、ジャンプ指令入力時の再生ユニットが記憶され、ＨＤＤＶＤ層への復帰は、この再生ユニットに続くユニット位置とされる。こうすることにより、主コンテンツの各タイトルに対する補助コンテンツを任意に呼び出して再生することができる。
【００７６】
なお、ジャンプコマンドによらずに、ユーザから任意に入力されるジャンプ指令に応じて、ＨＤＤＶＤ層からＤＶＤ層へのジャンプを行うようにすることもできる。この場合、ＤＶＤ層におけるジャンプ先を指定するための手段が別途必要となる。この手段として、たとえば、ジャンプ指令に応じてＤＶＤ層のタイトルメニューをユーザに提示する方法を用いることができる。すなわち、提示したタイトルメニューの内、ユーザにより選択指示されたタイトルの開始位置（開始ユニット）をジャンプ先としてＤＶＤ層へのジャンプを実行する。
【００７７】
この他、上記では、ＤＶＤ層の再生終了と変数ｉの設定状態をもとにＨＤＤＶＤ層への復帰を行うようにしたが、ＨＤＤＶＤ層に復帰するための条件プログラムをＨＤＤＶＤ層に記述する方法や、ＤＶＤ層の再生から設定時間が経過したときにＨＤＤＶＤ層へ復帰させる方法等を用いることもできる。
【００７８】
本発明の実施の形態は、特許請求の範囲に示された技術的思想の範囲内において、適宜、種々の変更が可能である。
【図面の簡単な説明】
【００７９】
【図１】実施の形態に係るハイブリッド型次世代ＤＶＤの構造を示す図
【図２】実施の形態に係るフォーカスエラー信号のＳカーブを説明する図
【図３】実施の形態に係る光ディスク装置の構成を示す図
【図４】実施の形態に係るコンテンツ情報のデータフォーマットを示す図
【図５】実施の形態に係るディスク再生時の処理フローチャート
【図６】実施の形態に係るディスク再生動作を模式的に示す図
【符号の説明】
【００８０】
１０１  光ピックアップ
１０２  信号生成回路
１０３  サーボ回路
１０４  レーザ駆動回路
１０５  復調回路
１０６  コントローラ
【図１】
2007012175.tif 000003
【図２】
2007012175.tif 000004
【図３】
2007012175.tif 000005
【図４】
2007012175.tif 000006
【図５】
2007012175.tif 000007
【図６】
2007012175.tif 000008